(57)【要約】【課題】本発明の目的は、ケース体に装着したグリップが外れにくく、且つ組立時にグリップをケース体に装着しやすいグリップ付き転写具とする。【解決手段】各々の又は一方のケース部材に設けた切欠部により構成される貫通した窓部をケース体に設け、ケース体の把持部で外側に露出する表面板と、該表面板の裏面より突出した突出部と、該突出部より突出部と交叉する方向に拡がった拡幅部とを有したグリップを、該グリップの突出部を前記窓部に係合し、前記拡幅部を前記ケース体窓部の周辺の内壁面に当接して該窓部に装着し、グリップをケース体に抜け止め状態に装着する。【選択図】      図１
2005153470.tif 000002
【特許請求の範囲】
【請求項１】
硬質な二つのケース部材を固着してなるケース体の内部に、塗膜を有する転写テープを捲回した供給リールと塗膜を転写した後の転写テープを巻取るための巻取リールとを備え、前記供給リールより繰出した転写テープをケース体の外部に突出した転写ヘッドで折返す構造で、二つのケース部材を固着する面で把持した際に指が当接する把持部の位置に、弾性部材であるグリップを装着したグリップ付塗膜転写具において、各々の又は一方のケース部材に設けた切欠部により構成される貫通した窓部をケース体に設け、ケース体の把持部で外側に露出する表面板と、該表面板の裏面より突出した突出部と、該突出部より突出部と交叉する方向に拡がった拡幅部とを有したグリップを、該グリップの突出部を前記窓部に係合し、前記拡幅部を前記ケース体窓部の周辺の内壁面に当接して該窓部に装着し、グリップをケース体に抜け止め状態に装着したことを特徴とするグリップ付塗膜転写具。
【請求項２】
前記グリップの表面板が、前記二つのケース部材の両側面に位置する二つの側壁部と、互いの側壁部を連結する連結部とを有し、前記ケース体の窓部に前記連結部と係合するスリットを設けたことを特徴とする請求項１に記載のグリップ付塗膜転写具。
【発明の詳細な説明】
【技術分野】
【０００１】
本発明は、紙面等の被転写体に転写テープの塗膜を転写するための塗膜転写具に関する。
【背景技術】
【０００２】
従来より、離型性を有する紙やフィルム等の基材の表面上に修正剤、着色剤、粘着剤等の塗膜を設けてテープ状の転写テープに加工し、紙面等の被転写体に転写テープの塗膜を転写する構造の塗膜転写具は知られている。この塗膜転写具は、ケース体の先端の転写ヘッドで転写テープを紙面に圧接しながら転写する構造である。通常ケース体は硬質の樹脂で成形されており、ケース体を把持する指に力を入れやすくするために、把持部に凹凸部を設ける工夫がなされている。
【０００３】
また最近の修正テープ転写具では、ケース体の把持した際に指が当接する把持部の位置に弾性部材であるグリップを装着して、さらに持ちやすさを向上させたものがある。この転写具の構造を図で簡単に説明する。図１０は従来の修正テープ転写具の側面図で、図１１は図１０のＸ−Ｘ線端面図である。修正テープ転写具２１のケース体２２は、硬質樹脂で成形したケース部材２３，２４を固着して形成してあり、ケース部材２３，２４を固着する面の把持した際に指が当接する把持部の位置には、弾性部材である滑り止めのグリップ２９をケース部材２３，２４を固着した後に装着してある。詳述はしないが、内部から繰出した修正塗膜を有する転写テープは、先端の転写ヘッド２８で転写する構造である。
【０００４】
図１１に示すように、グリップ２９は、断面がコの字形状の表面板２９ａと、表面板２９ａの内側に設けた突出部２９ｂとを設けてある。また、突出部２９ｂの先端には拡幅部２９ｃを設け、突出部２９ｂをケース体２２の側面に設けた係合孔２３ａ，２４ａに圧入した際に抜けにくくしてある。したがって拡幅部２９ｃは係合孔２３ａ，２４ａの内寸より大きくなっている。
【発明の開示】
【発明が解決しようとする課題】
【０００５】
ところで、突出部２９ｂは係合孔２３ａ，２４ａに対して圧入となっているが、反対に引っ張れば抜けてしまう。尚、拡幅部２９ｂを係合孔２３ａ，２４ａに対して大きくすればするほど抜けにくくなり、ケース体２２からグリップ２９が外れにくくなるが、その反面、組立時においてグリップ２９をケース体２２に装着する際に、突出部２９ｂを係合孔２３ａ，２４ａに嵌めにくくなるという問題がある。そこで本発明は、ケース体に装着したグリップが外れにくく、且つ組立時にグリップをケース体に装着しやすいグリップ付き転写具とすることを目的とする。
【課題を解決するための手段】
【０００６】
本発明は、硬質な二つのケース部材を固着してなるケース体の内部に、塗膜を有する転写テープを捲回した供給リールと塗膜を転写した後の転写テープを巻取るための巻取リールとを備え、前記供給リールより繰出した転写テープをケース体の外部に突出した転写ヘッドで折返す構造で、二つのケース部材を固着する面で把持した際に指が当接する把持部の位置に、弾性部材であるグリップを装着したグリップ付塗膜転写具において、各々の又は一方のケース部材に設けた切欠部により構成される貫通した窓部をケース体に設け、ケース体の把持部で外側に露出する表面板と、該表面板の裏面より突出した突出部と、該突出部より突出部と交叉する方向に拡がった拡幅部とを有したグリップを、該グリップの突出部を前記窓部に係合し、前記拡幅部を前記ケース体窓部の周辺の内壁面に当接して該窓部に装着し、グリップをケース体に抜け止め状態に装着したことを特徴とする。
【０００７】
また、前記グリップの表面板が、前記二つのケース部材の両側面に位置する二つの側壁部と、互いの側壁部を連結する連結部とを有し、前記ケース体の窓部に前記連結部と係合するスリットを設けたことを特徴とする。
【０００８】
本発明の転写テープは、離型性を有する紙やフィルム等の基材の表面上に修正剤、着色剤、粘着剤等の塗膜を設けてテープ状に加工したものである。
【０００９】
本発明のグリップは、弾性変形可能なシリコーンゴム、天然ゴム、ブチルゴム、フッ素ゴム、ブタジエンゴム、ウレタンゴム、その他合成ゴムやエラストマー等、滑りにくい素材として一般的に知られている弾性材料の中から適宜選定して成形すればよい。
【００１０】
本発明のケース部材は、ＡＳ樹脂、ＡＢＳ樹脂、ＰＯＭ樹脂、ＰＳ（ポリスチレン）樹脂、ＰＥＴ（ポリエチレンテレフタレート）樹脂、ＰＢＴ（ポリブチレンテレフタレート）樹脂、ＰＰ樹脂、ＰＭＭＡ（ポリメタクリル）樹脂、ＰＣ（ポリカーボネート）樹脂等、一般に知られている硬質材料の中から適宜選択して成形すれば良い。
【発明の効果】
【００１１】
本発明の塗膜転写具は、ケース体を形成する二つのケース部材を固着する前に、グリップの抜け止めとなる拡幅部を二つのケース部材間に差込んでケース体の内部に収容できるので、拡幅部を係合孔に圧入してグリップをケース体に装着する従来構造とは異なり、抜け止めのために必要な大きさの拡幅部を設定して、ケース体からグリップが外れないようにすることができる。
【００１２】
さらに、グリップの表面板に、二つのケース部材の両側面に位置する二つの側壁部を設けることにより、滑り止めの部分を大きくすることができ、また、互いの側壁部を連結する連結部を設けることにより、側壁部がめくれにくいものとなる。
【発明を実施するための最良の形態】
【００１３】
（実施例１）
実施例１の塗膜転写具を図を用いて説明する。図１は本実施例の塗膜転写具の分解姿図で、図２は二つのケース部材を組合わせた状態の要部姿図で、図３は本実施例の塗膜転写具を組立てた状態の姿図である。図１〜３に示すように、塗膜転写具１は、ケース体２を二つのケース部材３，４を固着して形成し、ケース部材３側に回転可能に配設した供給リール５及び巻取リール６と、供給リール５に捲回した修正塗膜（図示せず）を有する転写テープ７と、ケース体２の先端開口部２ａから外部へ突出した転写ヘッド８と、ケース体２を把持した際に指が当接する把持部２ｂに装着するグリップ９とで構成してある。供給リール５と巻取リール６とは、転写テープ７の繰出に伴って連動して回転する構造である。
【００１４】
ケース部材３，４は、側面３ａ，４ａと側面３ａ，４ａを取囲むよう立ち上げた起立面３ｂ，４ｂとを有する箱形状のポリスチレンで成形した部材である。また、把持部２ｂの位置には、切欠部３ｃ，４ｃをそれぞれ設けてあり、二つのケース部材３，４を組合わせた際には、切欠部３ｃ，４ｃにより貫通した窓部２ｃ（図２参照）が起立面３ｂ，４ｂを固着した面に構成される。
【００１５】
グリップ９は、ケース体２の把持部２ｂで外側に露出して滑り止めとなる表面板９ａと、表面板９ａの裏側より突出した突出部９ｂと、突出部９ｂより突出部と交叉する方向に拡がった拡幅部９ｃとを設けたエラストマーで成形した部材である。図４は図３のＡ−Ａ線端面図である。図４に示すようにグリップ９は、突出部９ｂをケース体２の窓部２ｃに係合し、拡幅部９ｃをケース部材３，４の窓部２ｃの周辺の内壁面に当接して抜け止め状態でケース体２に装着している。
【００１６】
本実施例では切欠部３ｃ，４ｃ周辺の表面側に、グリップ９の表面板９ａの厚み分凹ませた凹部３ｄ，４ｄを設けてあることから、グリップ９をケース体２に装着した際には、グリップ９の表面とケース体２の表面とが一致する。尚、ケース部材３とケース部材４とは、ケース部材３の丸孔３ｅにケース部材４の突起４ｅが挿嵌することにより固着される。
【００１７】
（実施例２）
実施例２の塗膜転写具を図を用いて説明する。図５は本実施例の塗膜転写具の分解姿図で、図６は二つのケース部材を組合わせた状態の要部姿図で、図７は本実施例の塗膜転写具を組立てた状態の姿図である。図５〜７に示すように、塗膜転写具１１は、ケース体１２をケース部材１３，１４を固着して形成し、ケース部材１３側に回転可能に配設した供給リール５及び巻取リール６と、供給リール５に捲回した修正塗膜（図示せず）を有する転写テープ７と、ケース体１２の先端開口部１２ａから外部へ突出した転写ヘッド８と、ケース体１２を把持した際に指が当接する把持部１２ｂに装着するグリップ１９とで構成してある。供給リール５と繰出リール６と転写テープ７との関係は、前述した実施例１のものと同様である。
【００１８】
ケース部材１３，１４は、側面１３ａ，１４ａと側面１３ａ，１４ａを取囲むよう立ち上げた起立面１３ｂ，１４ｂとを有する箱形状のポリスチレンで形成した部材である。また、把持部１２ｂの位置には切欠部１３ｃ，１４ｃをそれぞれ設けてあり、二つのケース部材１３，１４を組合わせた際には切欠部１３ｃ，１４ｃにより貫通した窓部１２ｃ（図６参照）が起立面１３ｂ，１４ｂを固着した面に構成される。また、切欠部１３ｃ，１４ｃの中央部には、それぞれの側面１３ａ，１４ａに向かうスリット１３ｅ，１４ｅを設けてある。
【００１９】
グリップ１９は、ケース体１２把持部２ｂで外側に露出して滑り止めとなる表面板１９ａと、表面板１９ａの裏側より突出した突出部１９ｂと、 突出部１９ｂより突出部と交叉する方向に拡がった拡幅部１９ｃとを設けたエラストマーで成形した部材である。また、表面板１９ａには、ケース部材１３，１４の側面１３ａ，１４ａに位置する二つの側壁部１９ｄと、互いの側壁部１９ｄを連結する連結壁１９ｅとを設けてある。
【００２０】
図８は図７のＢ−Ｂ線端面図である。図８に示すようにグリップ１９は、突出部１９ｂをケース体１２の窓部１２ｃに係合し、拡幅部１９ｃをケース部材１３，１４の窓部１２ｃの周辺の内壁面に当接して抜け止め状態でケース体１２に装着している。また、図９は図７のＣ−Ｃ線端面図である。図９に示すように、グリップ１９の連結部１９ｅはケース部材１３，１４のスリット１３ｅ，１４ｅに係合している。
【００２１】
本実施例では切欠部１３ｃ，１４ｃ周辺の表面側に、グリップ１９の表面板１９ａ及び両側壁１９ｄの厚み分凹ませた凹部１３ｄ，１４ｄを設けてあることから、グリップ１９をケース体１２に装着した際には、グリップ１９の表面とケース体１２の表面とが一致する。また、ケース部材１３，１４の凹部１３ｄ，１４ｄ及びグリップ１９の側壁部１９ｄの角部には丸みを持たせてあることから、連結部１９ｆがあるものの、グリップ１９をケース部材１３，１４に装着しやすい構造である。尚、ケース部材１３とケース部材１４とは、ケース部材１３及びケース部材１４の対向面に接着剤（図示せず）を塗布することにより固着してある。
【００２２】
以上、本発明の実施例を詳述したが、本発明は、前記実施例に限定されるものではなく、特許請求の範囲に記載された本発明の要旨の範囲内で、種々の変更を行うことが可能である。例えばケース体の窓部を、二つのケース部材の一方の切欠部だけで構成される構造としても良い。また、ケース体を形成するケース部材は、前述したケースの側面方向に分割する構造の他に、ケースの前後方向に分割する構造としても良い。また、三つ以上のケース部材を組合わせてケース体を形成する構造としても良い。また前述の実施例ではグリップの表面板は平滑な形状としたが、指が当たる部分に複数の横溝設けたり、指の腹に沿った凹部を設けることにより、さらに持った感じが良いものとなる。
【図面の簡単な説明】
【００２３】
【図１】第１の実施例の塗膜転写具の分解姿図である。
【図２】第１の実施例のケース部材を組合わせた状態の要部姿図である。
【図３】第１の実施例の塗膜転写具を組立てた状態の姿図である。
【図４】図３のＡ−Ａ線端面図である。
【図５】第２の実施例の塗膜転写具の分解姿図である。
【図６】第２の実施例のケース部材を組合わせた状態の要部姿図である。
【図７】第２の実施例の塗膜転写具を組立てた状態の姿図である。
【図８】図７のＢ−Ｂ線端面図である。
【図９】図７のＣ−Ｃ線端面図である。
【図１０】従来の修正テープ転写具の側面図である。
【図１１】図１０のＸ−Ｘ線端面図である。
【符号の説明】
【００２４】
１，１１…塗膜転写具、２，１２…ケース体、２ａ，１２ａ…先端開口部、
２ｂ，１２ｂ…把持部、２ｃ，１２ｃ…窓部、
３，１３…ケース部材、３ａ，１３ａ…側面、３ｂ，１３ｂ…起立面、
３ｃ，１３ｃ…切欠部、３ｄ，１３ｄ…凹部、１３ｅ…スリット、
４，１４…ケース部材、４ａ，１４ａ…側面、４ｂ，１４ｂ…起立面、
４ｃ，１４ｃ…切欠部、４ｄ，１４ｄ…凹部、１４ｅ…スリット、
５…供給リール、６…巻取リール、７…転写テープ、８…転写ヘッド、
９，１９…グリップ、９ａ，１９ａ…表面板、９ｂ，１９ｂ…突出部、
９ｃ，１９ｃ…拡幅部、１９ｄ…側壁、１９ｅ…連結部。
【図１】
2005153470.tif 000003
【図２】
2005153470.tif 000004
【図３】
2005153470.tif 000005
【図４】
2005153470.tif 000006
【図５】
2005153470.tif 000007
【図６】
2005153470.tif 000008
【図７】
2005153470.tif 000009
【図８】
2005153470.tif 000010
【図９】
2005153470.tif 000011
【図１０】
2005153470.tif 000012
【図１１】
2005153470.tif 000013